(57)【要約】【課題】可能な限り軽量化が図れるとともに、優れた外観性を有するスプールを備えた魚釣用スピニングリールを提供する。【解決手段】本発明の魚釣用スピニングリールは、リール本体１に設けられたスプール軸４Ａに装着され、釣糸が巻回されるスプール４を有する。そして、スプール４は、釣糸が巻回される釣糸巻回胴部４ａと筒状のスカート部４ｃとを備えており、スカート部４ｃの前後の端部領域には、均等幅で六角形状及び台形状の貫通孔２０，２１が周方向に沿って形成されると共に、中間領域には、均等幅で六角形状の貫通孔２０が形成されている。【選択図】図１
2011125264.tif 000002
【特許請求の範囲】
【請求項１】
リール本体に設けられたスプール軸に装着され、釣糸が巻回されるスプールを有する魚釣用スピニングリールにおいて、
前記スプールは、釣糸が巻回される釣糸巻回胴部と筒状のスカート部とを備えており、
前記スカート部の前後の端部領域には、均等幅で六角形状及び台形状の貫通孔が周方向に沿って形成されると共に、中間領域には、均等幅で六角形状の貫通孔が形成されていることを特徴とする魚釣用スピニングリール。
【請求項２】
前記スカート部の内面には、前記貫通孔が形成されていない部分に、周方向に沿ってリブが形成されていることを特徴とする請求項１に記載の魚釣用スピニングリール。
【請求項３】
前記スプールは、軸方向に沿った重心位置が前記スプール軸に対する支持部の範囲内に形成されていることを特徴とする請求項１又は２に記載の魚釣用スピニングリール。
【発明の詳細な説明】
【技術分野】
【０００１】
本発明は、魚釣用スピニングリールに関し、詳細には、釣糸が巻回されるスプールに特徴を備えた魚釣用スピニングリールに関する。
【背景技術】
【０００２】
一般的に、魚釣用スピニングリールは、ハンドルを回転操作した際、連動回転するロータと、前後動するスプールとを備えている。前記ロータは、ハンドル軸に設けられた駆動歯車（ドライブギヤ）とこれに噛合するピニオンギヤを介して回転駆動され、前記スプールは、オシレート機構を介して前後往復動される。
【０００３】
上記したスプールは、軽量化及び意匠性の向上を図るために、例えば、特許文献１に開示されているように、複数の貫通孔を形成することが知られている。
【先行技術文献】
【特許文献】
【０００４】
【特許文献１】特開２００１−１４８９７３号
【発明の概要】
【発明が解決しようとする課題】
【０００５】
しかし、上記した特許文献１に開示されている魚釣用スピニングリールのスプールは、貫通孔が円形状であるため、隣接する貫通孔間の非空洞部の幅が不均一となり、軽量化を図る上で限界がある。また、非空洞部の幅が不均一になることから、外観上、貫通孔と非空洞部との関係に統一感がなく、ユーザに対して、軽量化、及び斬新性というイメージを与える上ではインパクトに欠けてしまう。
【０００６】
本発明は、上記した問題に着目してなされたものであり、可能な限り軽量化が図れるとともに、優れた外観性を有するスプールを備えた魚釣用スピニングリールを提供することを目的とする。
【課題を解決するための手段】
【０００７】
上記した目的を達成するために、本発明に係る魚釣用スピニングリールは、リール本体に設けられたスプール軸に装着され、釣糸が巻回されるスプールを有しており、前記スプールは、釣糸が巻回される釣糸巻回胴部と筒状のスカート部とを備え、前記スカート部の前後の端部領域には、均等幅で六角形状及び台形状の貫通孔が周方向に沿って形成されると共に、中間領域には、均等幅で六角形状の貫通孔が形成されていることを特徴とする。
【０００８】
上記した構成の魚釣用スピニングリールでは、スカート部に形成される貫通孔が六角形状（前後の端部領域は台形状が含まれる）で構成されることから、隣接する貫通孔の間を均等幅にすることが可能となり、これにより、肉抜き部分を最大限にして効率的に軽量化が図れるようになる。また、貫通孔によって、スカート部は、いわゆるハニカム構造となっているため、貫通孔と非空洞部との関係に統一感が生まれ、外観性が良く、ユーザに対して斬新なイメージを与えることが可能となる。
【０００９】
なお、上記した構成において、隣接する貫通孔間の非空洞部の幅は、厳密に均等でなくても良い。すなわち、外観デザインとして統一感があれば、多少、幅の異なる領域があっても良い。また、貫通孔の六角形状とは、正六角形はもちろん、横長や縦長の六角形であっても良い。さらに、台形状とは、六角形の中心線で区分けされた四角形が該当するが、中心線を多少ずらして区分けされたような六角形状も含まれる。
【発明の効果】
【００１０】
本発明によれば、効率的に軽量化が図れ、外観性の良いスプールを備えた魚釣用スピニングリールが得られる。
【図面の簡単な説明】
【００１１】
【図１】本発明に係る魚釣用スピニングリールの一実施形態を示す図。
【図２】スプールの構成を示す図であり、（ａ）は平面図、（ｂ）は正面図、（ｃ）は右側面図、（ｄ）は底面図。
【図３】図２（ｄ）のＡ−Ａ線に沿った断面図。
【図４】スプールをスプール軸に装着した状態を示す断面図。
【図５】（ａ）は図２（ｂ）に示す貫通孔部分を拡大して示す図、（ｂ）は貫通孔の変形例を示す図、（ｃ）は貫通孔の別の変形例を示す図。
【発明を実施するための形態】
【００１２】
以下、図面を参照しながら本発明に係る魚釣用スピニングリールの実施形態について説明する。  
図１及び図２は、本発明に係る魚釣用スピニングリールの一実施形態を示す図であり、図１は全体構成を示す図、図２は図１に示すスプールの構成を示す図であり、（ａ）は平面図、（ｂ）は正面図、（ｃ）は右側面図、（ｄ）は底面図である。
【００１３】
本実施形態の魚釣用スピニングリールのリール本体１には、釣糸案内部３ａを具備し回転駆動されるロータ３と、ロータ３の回転駆動と同期して前後動されるスプール４が設けられている。前記スプール４は、例えば、合成樹脂材料、或いは、マグネシウム合金やアルミ合金等の金属材料によって形成され、実際に釣糸が巻回される釣糸巻回胴部４ａと、釣糸巻回胴部４ａを規定する前フランジ４ｂ及び筒状のスカート部４ｃとを備えている。なお、スカート部４ｃは、ロータ３の筒部３ｂを囲繞するように配置される。
【００１４】
前記リール本体１内には、ハンドル軸５が軸受を介して回転可能に支持されており、ハンドル軸５の端部には、巻き取り操作されるハンドル６が装着されている。また、前記ハンドル軸５には、ハンドル６の回転操作を、前記ロータ３側に伝達すると共に、前記スプール４側に伝達する駆動歯車（ドライブギヤ）７が設けられている。
【００１５】
前記駆動歯車７は、ハンドル軸５に対して直交する方向に延出する回転軸筒８に設けられるピニオン８ａと噛合しており、回転軸筒８の先端部には、ロータナット（図示せず）を螺合することで、前記ロータ３が取り付けられている。
【００１６】
前記回転軸筒８は、軸方向に沿って貫通しており、その内部には、釣糸が巻回される前記スプール４を保持したスプール軸４Ａが挿通されている。このスプール軸４Ａの後端側には、前記ハンドル軸５がハンドル６の回転操作によって回転されたとき、スプール軸４Ａ（スプール４）を軸方向に沿って前後往復動させる公知のオシレート機構１０が連結されている。そして、ハンドル６の回転操作によって前記ロータ３が駆動歯車７及び回転軸筒（ピニオン８ａ）を介して回転駆動することで、オシレート機構１０を介して前後往復動されるスプール４の釣糸巻回胴部４ａには、ロータ３の釣糸案内部を介して釣糸が均等に巻回される。
【００１７】
前記スプール４のスカート部４ｃには、例えば、切削加工等によって、六角形状の貫通孔２０及び台形状の貫通孔２１が形成されている。具体的に、前記六角形状の貫通孔２０は、スカート部４ｃの軸方向の中間領域において、非空洞部２２の幅Ｔが均等となるように多数形成されている。また、スカート部４ｃの前後の端部領域には、六角形状の貫通孔２０、及び六角形状の貫通孔２０間に位置する台形状の貫通孔２１が、周方向に沿って交互に上記した幅Ｔで形成されている。
【００１８】
前記前後の端部領域に交互に形成される貫通孔２０，２１は、スカート部の両端縁から所定の間隔をおいた領域（端部領域）に形成されている。すなわち、スカート部４ｃは、釣糸巻回胴部４ａとの境界部から所定幅Ｔ１、及び後端縁から所定幅Ｔ２が非空洞部（前側非空洞部４ｄ、後側非空洞部４ｅ）となっており、これらを除いて前記貫通孔２０，２１が多数形成されて、スカート部全体がいわゆるハニカム構造となっている。この場合、上記した所定幅Ｔ１，Ｔ２については、非空洞部２２の幅Ｔと同じにしても良い。
【００１９】
そして、このようなハニカム構造では、上記した非空洞部２２の幅Ｔ、及び前側非空洞部４ｄ、後側非空洞部４ｅの幅Ｔ１，Ｔ２大きさによって、スカート部４ｃの空洞率を変えることが可能である。この場合、外観性の向上及び強度を維持して効果的な軽量化を図るためには、空洞部（貫通孔２０，２１）の総面積をＳａ、スカート部４ｃの総表面積をＳｂとすると、０．４０≦Ｓａ／Ｓｂ≦０．８０に設定しておくことが好ましい。すなわち、Ｓａ／Ｓｂが０．４０よりも小さくなると、十分な軽量化が図れなくなり、Ｓａ／Ｓｂが０．８０よりも大きくなると、スカート部における強度が低下してしまう。
【００２０】
上記した貫通孔２０，２１の構成においては、非空洞部２２における幅Ｔについては、全ての領域において、厳密に均等に設定されていなくても良い。すなわち、スプールの外観デザインとして統一感があれば、多少、幅の異なる領域が存在しても良い。例えば、スカート部４ｃにラインストッパ４ｆを形成する場合、その近傍における非空洞部２２の幅については、前記の幅Ｔと一致させなくても良い。
【００２１】
また、前記貫通孔２０における六角形状は、図５（ａ）に示すように、デザインを考慮して正六角形とすることが好ましいが、図５（ｂ）に示すように横長形状としたり、図５（ｃ）に示すように、縦長形状にしても良い。同様に、貫通孔２１における台形状についても、図５（ａ）に示した四角形状（図５（ａ）に示す正六角形の中心線で区分けされた四角形状）以外にも、図５（ｂ）に示すように、横長となった形状、或いは、図５（ｃ）に示すように、縦長で、中心線を多少ずらした状態で区分けされる六角形状であっても良い。
【００２２】
上記した構造のスプール４を配した魚釣用スピニングリールによれば、貫通孔が六角形状（両端側は台形が含まれる）で構成されることから、隣接する貫通孔２０，２１同士の間（非空洞部２２の幅Ｔ）を均等にすることが可能となり、これにより、肉抜き部分を最大限にして効率的に軽量化（空洞率の向上）が図れるようになる。また、上記した貫通孔２０，２１により、スカート部４ｃは、いわゆるハニカム構造となっているため、軽量化を図りつつ強度の低下を抑えることができるとともに、貫通孔と非空洞部との関係に統一感が生まれ、外観性が良く、ユーザに対して斬新なイメージを与えることが可能となる。
【００２３】
また、上記した構造により、スカート部４ｃの空気の抜けが良くなり、特に、スプール４の高速オシレーション時における内部空気の圧縮による抵抗を従来の構造よりも減らすことができ、使用感が向上する。さらに、スプール４が外気に触れる表面積を大幅に増やすことができるため、公知のドラグ機構３０のドラグ作用時に発生する熱をより多く放熱することが可能となる。
【００２４】
図３は、上記したスプール構造の内面を示す図であり、図２（ｄ）のＡ−Ａ線に沿った断面図である。  
この図に示すように、スカート部４ｃの内面の貫通孔２０，２１が形成されていない部分（非空洞部２２）に、周方向に沿って中心に向けて突出するリブ２３を形成しておくことが好ましい。また、貫通孔２０，２１の一辺は、周方向に向けることで、リブ２３を効果的に設けることが可能となる。
【００２５】
このようなリブ２３を形成しておくことで、スプール４（スカート部４ｃ）の強度が向上するため、前記貫通孔２０，２１間の幅Ｔや、前側非空洞部４ｄ、及び後側非空洞部４ｅの所定幅Ｔ１，Ｔ２を狭くすること、すなわち、強度低下を防止しつつ空洞率を向上することが可能となる。これにより、より効率的な軽量化が図れると共に、外観性の向上を図る上での自由度が向上する。
【００２６】
なお、リブ２３については、その長さ、及び高さについては、特に限定されることはなく、さらに、その位置についても、軸方向に多段的に形成しても良い。
【００２７】
また、上記したリブ２３以外にも、非空洞部２２に、周方向に沿って中心に向けて突出するテーパ部２５を形成しておいても良い。このようなテーパ部２５を形成しておくことにより、応力集中を防止しながら強度や剛性、軽量化を調整することが可能となる。
【００２８】
さらに、上記したスカート部４ｃのハニカム構造によって、スカート部の領域の軽量化が図れることから、前記スプール４は、軸方向に沿った重心位置Ｇを前方側にシフトすることが可能となる。すなわち、図４に示すように、スプール４の軸方向の重心位置Ｇを、前記スプール軸４Ａに対する支持部、具体的には、介在部材（スプールメタルとも称される）４Ｂを介して配置されたカラー４Ｃ，４Ｃ´の長手方向の支持範囲Ｗの範囲内に設定することが容易となる。なお、カラー４Ｃ，４Ｃ´は、ボールベアリングに換えることも可能である。
【００２９】
このように、軸方向の重心位置Ｇを、前記スプール軸４Ａに対する支持部の範囲内に設定したことで、釣糸放出時や釣糸巻き取り時にスプールに負荷が作用しても、スプール軸４Ａに対するスプール４の支持状態がぶれなくなり、安定した支持状態を長期に亘って維持することが可能となる。
【００３０】
以上、本発明の実施形態について説明したが、本発明は、上記したように、スプール４のスカート部４ｃに形成される貫通孔２０，２１の形状に特徴があり、それ以外の構造については特に限定されることはない。
【符号の説明】
【００３１】
１  リール本体
３  ロータ
４  スプール
４Ａ  スプール軸
４ａ  釣糸巻回胴部
４ｃ  スカート部
６  ハンドル
２０  六角形状の貫通孔
２１  台形状の貫通孔
２３  リブ
【図１】
2011125264.tif 000003
【図２】
2011125264.tif 000004
【図３】
2011125264.tif 000005
【図４】
2011125264.tif 000006
【図５】
2011125264.tif 000007